(57)【要約】【課題】熱源機の温水または冷水を有効に利用し、冷風感を生じることなく手乾燥初期から温風を吹出すことができる手乾燥装置を提供することを目的とする。【解決手段】空気流を吹出す送風手段７と、温水または冷水を供給し空気と熱交換する熱交換手段８と、前記送風手段７の吹出し側に設けた前記熱交換手段８を通過した気流を吹出す送風吹出しノズル１０を設け、熱源機からの温水を熱交換手段８に供給循環することで加熱し予熱を行うようにしたものであり、熱源機の温水の熱を有効に利用し、冬期などの低温時期でも手乾燥初期から冷風感を生じることなく手の水滴を飛ばし、温風にて蒸発乾燥することができる手乾燥装置が得られる。【選択図】図１
2006263151.tif 000002
【特許請求の範囲】
【請求項１】
空気流を吹出す送風手段と、温水または冷水を供給し空気と熱交換する熱交換手段と、前記送風手段の吹出し側に設けた前記熱交換手段を通過した気流を吹出す送風吹出しノズルを設け、前記熱交換手段に温水を供給し送風空気の予熱を行うことを特徴とする手乾燥装置。
【請求項２】
手洗いにより吐水されたことを検知する手洗い検知センサを設け、前記手洗い検知センサの検知信号により温水の供給を制御する制御手段を設けたことを特徴とする請求項１記載の手乾燥装置。
【請求項３】
送風吹出しノズルに手乾燥検知センサを設け、前記手乾燥検知センサの検知信号により温水の供給を制御する制御手段を設けたことを特徴とする請求項１または２に記載の手乾燥装置。
【請求項４】
熱交換手段の温度を検出する熱交換温度検出手段と、水配管に供給する温水量を制御する制御手段を設け、吹出す温風の温度を調整することを特徴とする請求項１乃至３のいずれかに記載の手乾燥装置。
【請求項５】
熱交換手段に供給される温水温度を制御する制御手段を設け、熱交換手段に供給する温水の温度を制御し吹出す温風の温度を調整することを特徴とする請求項１乃至４のいずれかに記載の手乾燥装置。
【請求項６】
日時をカウントする時計手段と，前記時計手段により検知した日時情報から供給する温水量を制御する制御手段を設けたことを特徴とする請求項１乃至５のいずれかに記載の手乾燥装置。
【請求項７】
送風吹出しノズルの送風方向を可変する風向可変手段と、前記風向可変手段を制御する制御手段を設け、設置空間に送風することを特徴とする請求項１乃至６のいずれかに記載の手乾燥装置。
【請求項８】
運転、停止時間を設定できる時間設定タイマーと、前記時間設定タイマーの設定時間に応じて自動運転する制御手段を設けたことを特徴とする請求項７記載の手乾燥装置。
【請求項９】
送風吹出しノズルに空気を加熱する電気ヒーターと、前記電気ヒーターの通電を制御する制御手段を設けたことを特徴とする請求項１乃至８のいずれかに記載の手乾燥装置。
【請求項１０】
循環路を構成する水配管と、給水を供給する給水配管とを接続し、前記給水配管からの給水を前記水配管に通水することを特徴とする請求項１乃至９のいずれかに記載の手乾燥装置。
【発明の詳細な説明】
【技術分野】
【０００１】
本発明は，洗面所やトイレ等にて手を洗い，濡れた手を温風にて乾燥させる手乾燥装置に関する。
【背景技術】
【０００２】
従来、この種の手乾燥装置は、温水の熱源を利用して手などの乾燥を行うものが知られていた（例えば特許文献１参照）。
【０００３】
以下、手乾燥装置について図１１を参照しながら説明する。
【０００４】
図に示すように、手を乾燥させるための温風を吹出可能な温風吹出口１０１には、ファン１０２を備えた通風管路１０３が接続されているとともに、該通風管路１０３内には、温水を通す温水菅１０４が配設され、該温水菅１０４にて通風管路１０３内を通る風の余熱回路が形成される。ファン１０２の上流側の通風管路１０３内にはヒーター１０５が配設され、ファン１０２が検知センサ１０６の検知信号に基づいて作動されたときには余熱回路内には温水が通るため、この温水により通風管路１０３内を流れる空気を暖めようとするもので、ヒーター１０５の効果が表れる前に良好に温風を余熱し、初期の段階より温風吹出口から良好な温風を噴出させようとするものである。
【特許文献１】実公平６−３００７７号公報（図１）
【発明の開示】
【発明が解決しようとする課題】
【０００５】
このような従来の手乾燥装置では、短時間の手洗いでは温水菅による送風空気の予熱が得られないため、冬期などにおいては手の乾燥初期に冷風感を生じるという課題があった。
【０００６】
また、手洗いが行われなければ温水も通水することができないため、温水菅による送風空気の予熱を行うことができないという課題があった。
【０００７】
また、手の乾燥を行う時に温水の熱を利用して温風を吹出すことができないという課題があった。
【０００８】
また、温水菅に通水する温水量を調整して、吹出す温風の温度を調整することができないという課題があった。
【０００９】
また、温水菅に通水する温水の温度を調整して、吹出す温風の温度を調整することができないという課題があった。
【００１０】
また、日時情報から吹出す温風の最適温度の予測制御ができないという課題があった。
【００１１】
また、熱源機の温水または冷水を利用し設置空間の冷暖房を行うことができないという課題があった。
【００１２】
また、熱源機の温水または冷水を利用し設置空間の冷暖房時間をタイマーにて制御することができないという課題があった。
【００１３】
また、熱源機の冷水を利用し設置空間の冷房を行い電気ヒーターにより温風を吹出すことができないという課題があった。
【００１４】
また、給水側の水を利用し冷却を行うとともに、熱源機への給水を加温することができないという課題があった。
【００１５】
本発明は、上記従来の課題を解決するもので、熱源機の温水の熱を有効に利用し送風空気の予熱を行うことにより冬期などの気温が低いときには吹出しの冷風感を生じることなく手乾燥初期から温風で短時間に手の乾燥ができる手乾燥装置を提供することを目的としている。
【００１６】
また、熱源機による温水または冷水を利用し、設置空間の冷暖房ができる手乾燥装置を提供することを目的としている。
【課題を解決するための手段】
【００１７】
本発明の手乾燥装置は、上記目的を達成するために、空気流を吹出す送風手段と、温水または冷水を供給し空気と熱交換する熱交換手段と、前記送風手段の吹出し側に設けた前記熱交換手段を通過した気流を吹出す送風吹出しノズルを設け、前記熱交換手段に温水を供給し送風空気の予熱を行うようにしたものである。
【００１８】
この手段により、熱源機の温水の熱を有効に利用し送風空気の予熱を行い、冷風感を生じることなく手乾燥初期から温風を吹出すことができる手乾燥装置が得られる。
【００１９】
また他の手段は、手洗いにより吐水されたことを検知する手洗い検知センサを設け、前記手洗い検知センサの検知信号により温水の供給を制御する制御手段を設け温水の供給を開始するよにしたものである。
【００２０】
この手段により、手洗いが行われている時間に温水の供給を開始し送風空気の予熱を行い、冷風感を生じることなく手乾燥初期から温風を吹出すことができる手乾燥装置が得られる。
【００２１】
また他の手段は、送風吹出しノズルに手乾燥検知センサを設け、前記手乾燥検知センサの検知信号により温水の供給を制御する制御手段を設け温水の供給を開始するよにしたものである。
【００２２】
この手段により、手乾燥が行われている時間だけ温水を供給し、手乾燥時に温風を吹出すことができる手乾燥装置が得られる。
【００２３】
また他の手段は、熱交換手段の温度を検出する熱交換温度検出手段と、水配管に供給する温水量を制御する制御手段を設け、吹出す温風の温度を調整するようにしたものである。
【００２４】
この手段により、熱交換手段の加熱状況に対応し安定した温風を生成することができ、冷風感を生じることなく手乾燥初期から温風を吹出す手乾燥装置が得られる。
【００２５】
また他の手段は、熱交換手段に供給される温水の温度を制御する制御手段を設け、熱交換手段に供給する温水の温度を制御し吹出す温風の温度を調整するようにしたものである。
【００２６】
この手段により、熱交換手段に供給する温水の温度を制御し、冷風感を生じることなく手乾燥初期から温風を吹出すことができる手乾燥装置が得られる。
【００２７】
また他の手段は、日時をカウントする時計手段と，前記時計手段により検知した日時情報から供給する温水量を制御する制御手段を設け、吹出す温風の温度を調整するようにしたものである。
【００２８】
この手段により、日時情報から最適の吹出す温風の温度の予測を行い温水量を制御することができ、冷風感を生じることなく手乾燥初期から温風を吹出すことができる手乾燥装置が得られる。
【００２９】
また他の手段は、送風吹出しノズルの送風方向を可変する風向可変手段と、前記風向可変手段を制御する制御手段を設け、設置空間に送風するようにしたものである。
【００３０】
この手段により、温風または冷風を送風することができるので、手乾燥として使用されないときは温風機、冷風機として利用できる手乾燥装置が得られる。
【００３１】
また他の手段は、運転、停止時間を設定できる時間設定タイマーと、前記時間設定タイマーの設定時間に応じて自動運転する制御手段を設け送風時間を設定できるようにしたものである。
【００３２】
この手段により、温風または冷水を送風する運転時間を設定できるので、手乾燥として使用されないときでも温風機、冷風機として設定時間に応じた運転、停止を行うことができる手乾燥装置が得られる。
【００３３】
また他の手段は、送風吹出しノズルに空気を加熱する電気ヒーターを設け、前記電気ヒーターの通電を制御する制御手段を設け温風を吹出すようにしたものである。
【００３４】
この手段により、熱源機の冷水を利用し設置空間の冷房を行い電気ヒーターにより温風を吹出すことができる手乾燥装置が得られる。
【００３５】
また他の手段は、循環路を構成する水配管と、給水を供給する給水配管とを接続し、前記給水配管からの給水を前記水配管に通水するようにしたものである。
【００３６】
この手段により、給水側の水を利用し冷却を行うとともに、熱源機への給水を加温することができる手乾燥装置が得られる。
【発明の効果】
【００３７】
本発明によれば、熱源機の温水の熱を有効に利用し送風空気の予熱を行い、冷風感を生じることなく手乾燥初期から温風を吹出すことができる手乾燥装置を提供できる。
【００３８】
また、手洗いが行われている時間に温水の供給を開始し送風空気の予熱を行い、冷風感を生じることなく手乾燥初期から温風を吹出すことができる手乾燥装置を提供できる。
【００３９】
また、手乾燥が行われている時間だけ温水の供給を開始し、手乾燥時に温風を吹出すことができる手乾燥装置を提供できる。
【００４０】
また、熱交換手段の加熱状況に対応し安定した温風を生成することができ、冷風感を生じることなく手乾燥初期から温風を吹出す手乾燥装置を提供できる。
【００４１】
また、熱交換手段に供給する温水の温度を制御し、冷風感を生じることなく手乾燥初期から温風を吹出すことができる手乾燥装置を提供できる。
【００４２】
また、日時情報から最適の吹出し温度の予測を行い温水量を制御することができ、冷風感を生じることなく手乾燥初期から温風を吹出すことができる手乾燥装置を提供できる。
【００４３】
また、設置空間に温風、冷風を送風することができるので、手乾燥として使用されないときでも冷風機あるいは温風機として利用できる手乾燥装置を提供できる。
【００４４】
また、温風または冷水を送風する運転時間を設定できるので、手乾燥として使用されないときでも温風機、冷風機として設定時間に応じた運転、停止を行うことができる手乾燥装置を提供できる。
【００４５】
また、熱源機の冷水を利用し設置空間の冷房を行い電気ヒーターにより温風を吹出すことができる手乾燥装置を提供できる。
【００４６】
また、給水側の水を利用し冷却を行うとともに、熱源機への給水を加温することができる手乾燥装置を提供できる。
【発明を実施するための最良の形態】
【００４７】
本発明の請求項１記載の発明は、空気流を吹出す送風手段と、温水または冷水を供給し空気と熱交換する熱交換手段と、前記送風手段の吹出し側に設けた前記熱交換手段を通過した気流を吹出す送風吹出しノズルを設け、前記熱交換手段に温水を供給し温風を吹出すように構成したものであり、熱源機の温水の熱を有効に利用し送風空気の予熱を行い、冷風感を生じることなく手乾燥初期から温風を吹出すことができるという作用を有する。
【００４８】
また、請求項２記載の発明は、手洗いにより吐水されたことを検知する手洗い検知センサを設け、前記手洗い検知センサの検知信号により温水の供給を制御する制御手段を設けた構成としたものであり、手洗いが行われている時間に温水の供給を開始し送風空気の予熱を行い、冷風感を生じることなく手乾燥初期から温風を吹出すことができるという作用を有する。
【００４９】
また、請求項３記載の発明は、送風吹出しノズルに手乾燥検知センサを設け、前記手乾燥検知センサの検知信号により温水の供給を制御する制御手段を設け温水の供給を開始するように構成したものであり、手乾燥が行われている時間だけ温水を供給し、手乾燥時に温風を吹出すことができるという作用を有する。
【００５０】
また、請求項４記載の発明は、熱交換手段の温度を検出する熱交換温度検出手段と、水配管に供給する温水量を制御する制御手段を設け、吹出す温風の温度を調整するように構成したものであり、熱交換手段の加熱状況に対応し安定した温風を生成することができ、冷風感を生じることなく手乾燥初期から温風を吹出すことができるという作用を有する。
【００５１】
また、請求項５記載の発明は、熱交換手段に供給される温水の温度を制御する制御手段を設け、熱交換手段に供給する温水の温度を制御し吹出し温度を調整するように構成したものであり、熱交換手段に供給する温水の温度を制御し、冷風感を生じることなく手乾燥初期から温風を吹出すことができるという作用を有する。
【００５２】
また、請求項６記載の発明は、日時をカウントする時計手段と、前記時計手段により検知した日時情報から供給する温水量を制御する制御手段を設け、吹出す温風の温度を調整するように構成したものであり、日時情報から最適の吹出し温度の予測を行い温水量を制御することができ、冷風感を生じることなく手乾燥初期から温風を吹出すことができるという作用を有する。
【００５３】
また、請求項７記載の発明は、送風吹出しノズルの送風方向を可変する風向可変手段と、前記風向可変手段を制御する制御手段を設け、設置空間に送風するように構成したものであり、温風または冷風を送風することができるという作用を有する。
【００５４】
また、請求項８記載の発明は、運転、停止時間を設定できる時間設定タイマーを設け、前記時間設定タイマーの設定時間に応じて自動運転する制御手段を設け送風時間を設定できるように構成したものであり、温風または冷水を送風する運転時間を設定できるので、手乾燥として使用されないときでも温風機、冷風機として設定時間に応じた運転、停止を行うことができるという作用を有する。
【００５５】
また、請求項９記載の発明は、送風吹出しノズルに空気を加熱する電気ヒーターを設け、前期電気ヒーターの通電を制御する制御手段を設け温風を吹き出すように構成したものであり、熱源機の冷水を利用し設置空間の冷房を行い電気ヒーターにより温風を吹出すという作用を有する。
【００５６】
また、請求項１０記載の発明は、循環路を構成する水配管と、給水を供給する給水配管とを接続し、前記給水配管からの給水を前記水配管に通水するように構成したものであり、給水側の水を利用し冷却を行うとともに、熱源機への給水を加温することができるという作用を有する。
【００５７】
以下、本発明の実施の形態について図面を参照しながら説明する。
【００５８】
（実施の形態１）
図１に示すように、手乾燥装置１は、凹状に形成された乾燥室２と、乾燥室２の底部には手から吹き飛ばされた水分を排出する排水口３を設け、手乾燥装置１の底部には排出された水滴を溜めるドレンタンク４を設け、排水口３とドレンタンク４は排水菅５にて接続される。ドレンタンク４の後部には吸込口６を開口し、送風手段７に空気が取り込まれる。乾燥室２の下方には送風手段７としてブロワモータと、温水を供給し加熱する熱交換手段８としてプレートフィン式熱交換器を収納体９に配置する。手乾燥装置１の上部には送風手段７の吹出し側に設けた前記熱交換手段８を通過した気流を吹出す送風吹出しノズル１０を設け、収納体９と送風吹出しノズル１０は風路１１により接続される。送風吹出しノズル１０には手乾燥検知センサ１２として赤外線センサが配置され、手乾燥装置１の側面にはスイッチ手段１３としてロッカスイッチが配置される。
【００５９】
手乾燥装置１の側面に配置する制御手段１４は手乾燥検知センサ１２の検知信号により送風手段７を制御し、スイッチ手段１３からの切、入信号によって開閉手段１５として熱動弁または電磁弁の開閉を制御するものである。
【００６０】
手乾燥装置１は、洗面台の近傍に設置し、チリングユニット等の熱源機（図示せず）からの温水（３５℃から５５℃）または冷水（５℃から２５℃）を供給する水配管１６は開閉手段１５を介して熱交換手段８に接続する。
【００６１】
上記構成において、スイッチ手段１３を入にすると開閉手段１５は開弁し温水は熱交換手段８に供給循環することで熱交換手段８を加熱し送風空気を予熱する。手乾燥時には、送風手段７の始動により熱交換手段８を通過した空気は温風となり送風吹出しノズル１０から手の水滴を吹き飛ばすのに必要とする５０ｍ／ｓ以上の高速の温風を吹出し、手乾燥初期から冬期などの低温時期でも冷風感を生じることなく手の水滴を飛ばし、温風にて蒸発乾燥することができる。
【００６２】
なお、本実施の形態１では、手乾燥装置１と洗面台は分離したものを手乾燥装置１としたが手乾燥装置１の乾燥室２と洗面台のシンクと、手乾燥装置１の排水口３と洗面台の排水口を一体的に設けても同様の作用効果をもたらす。
【００６３】
（実施の形態２）
次に、本発明の実施の形態２について図面を参照しながら説明する。なお、実施の形態１と同一のものは同一番号を付し、その詳細な説明を省略する。
【００６４】
図２に示すように図１の構成に加えて手洗い検知センサ１７として手を検知する赤外線センサを制御手段１４Ａに接続し、手洗いが行われたことを検知することができるように構成する。
【００６５】
上記構成において、手洗いが行われると水栓金具１８または近傍に設置した手洗い検知センサ１７からの検知信号により開閉手段１５は開弁し温水の供給を開始する。手洗い中に温水は熱交換手段８に供給循環することで熱交換手段８を加熱し送風空気を予熱する。
手乾燥初期から冬期などの低温時期でも冷風感を生じることなく手の水滴を飛ばし、温風にて蒸発乾燥することができる。
【００６６】
なお、本実施の形態２では、手洗い検知センサ１７として赤外線センサを用いたが、手洗いの吐水により水洗金具の配管内を水または湯が通水されたことを検知する水量センサを用いても同様の作用効果をもたらす。
【００６７】
（実施の形態３）
次に、本発明の実施の形態３について図面を参照しながら説明する。なお、実施の形態１、２と同一のものは同一番号を付し、その詳細な説明を省略する。
【００６８】
図３に示すように図１または図２の構成に加えて送風吹出しノズル１０に配置される手乾燥検知センサ１２として手を検知する赤外線センサを制御手段１４Ｂに接続し、乾燥室２に手が挿入されたことを検知することができるように構成する。
【００６９】
上記構成において、乾燥室２に手を挿入し、手乾燥検知センサ１２からの検知信号により開閉手段１５は開弁し温水の供給を開始する。手洗いの後、手乾燥検知センサ１２に検知されない限り温水の供給は開始されず、乾燥室２に挿入された手の検知信号により温水の供給を開始するので効率よく温風を吹出すことができる。
【００７０】
（実施の形態４）
次に、本発明の実施の形態４について図面を参照しながら説明する。なお、実施の形態１、２、３と同一のものは同一番号を付し、その詳細な説明を省略する。
【００７１】
図４に示すように図１から３のいずれかの構成に加えて、熱交換手段８に熱交換温度検出手段２１としてサーミスタと、温水量を調整する流量調整弁２０を温水量を制御する制御手段１４Ｃに接続し、熱交換手段８に供給する温水量を調整できるようにする。
【００７２】
上記構成において、停止時に熱交換手段８の検知温度が高い場合には、熱交換手段８に供給する温水の流量を流量調整弁２０により絞るように調整し、検知温度が低い場合には開放するように調整する。運転開始時には、事前に調整された流量調整弁２０により温水が供給される。また、運転中には、熱交換手段８の検知温度から流量調整弁２０は再調整を行い、熱交換手段８の加熱状況に対応し安定した温風を生成することができ、冷風感を生じることなく手乾燥初期から温風を吹出すことができる。
【００７３】
（実施の形態５）
次に、本発明の実施の形態５について図面を参照しながら説明する。なお、実施の形態１、２、３、４と同一のものは同一番号を付し、その詳細な説明を省略する。
【００７４】
図５に示すように図１から４のいずれかの構成に加えて、熱交換手段に供給される温水温度を制御する制御手段１４Ｄを熱源機に接続し、熱交換手段８に供給する温水温度を調整できるようにする。
【００７５】
上記構成において、停止時に熱交換手段８の検知温度が高い場合には、制御手段１４Ｄから熱源機に熱交換手段８に供給する温水温度を下げるように調整し、検知温度が低い場合には上げるように調整する。運転開始時には、事前に調整された温水温度が供給される。運転中には、熱交換手段８の検知温度から温水温度は再調整されるので、熱交換手段８の加熱状況に対応し安定した温風を生成することができ、冷風感を生じることなく手乾燥初期から温風を吹出すことができる。
【００７６】
（実施の形態６）
次に、本発明の実施の形態６について図面を参照しながら説明する。なお、実施の形態１、２、３、４、５と同一のものは同一番号を付し、その詳細な説明を省略する。
【００７７】
図６に示すように図１から５のいずれかの構成に加えて、日時をカウントする時計手段１９と，温水量を調整する流量調整弁２０を温水量を制御する制御手段１４Ｅに接続し、熱交換手段に供給する温水量を調整できるようにする。
【００７８】
上記構成において、停止時にあらかじめ設定された日時情報から夏期には温水の流量を流量調整弁２０により絞るように調整し、冬期には開放するように調整する。運転開始時には、日時情報から最適の吹出し温度の予測を行い温水量を制御することができ、冷風感を生じることなく手乾燥初期から温風を吹出すことができる。
【００７９】
（実施の形態７）
次に、本発明の実施の形態７について図面を参照しながら説明する。なお、実施の形態１、２、３、４、５、６と同一のものは同一番号を付し、その詳細な説明を省略する。
【００８０】
図７に示すように図１から６いずれかの構成に加えて、送風吹出しノズル１０の送風方向を可変する風向可変手段２２としてのルーバーと、風向可変手段２２を制御する制御手段１４Ｆを設ける構成とする。
【００８１】
上記構成において通常風向可変手段２２は送風吹出しノズル１０の後方に収納されており、手乾燥が行われないときに、設置空間へ送風するために風向可変手段２２を動作させることで冷風、温風を送風し、設置空間の冷暖房が可能となる。
【００８２】
（実施の形態８）
次に、本発明の実施の形態８について図面を参照しながら説明する。なお、実施の形態１、２、３、４、５、６、７と同一のものは同一番号を付し、その詳細な説明を省略する。
【００８３】
図８に示すように図７の構成に加えて、制御手段１４Ｇに時間設定タイマー２３を設け、この時間設定タイマー２３の設定時間に応じて自動運転する構成とする。
【００８４】
上記構成において、時間設定タイマー２３により任意の運転時間が設定できるので必要に応じて効率よく設置空間の冷暖房が可能となる。
【００８５】
（実施の形態９）
次に、本発明の実施の形態９について図面を参照しながら説明する。なお、実施の形態１、２、３、４、５、６、７、８と同一のものは同一番号を付し、その詳細な説明を省略する。
【００８６】
図９に示すように図１から８いずれかの構成に加えて、送風吹出しノズル１０に空気を加熱する電気ヒーター２４としてＰＴＣヒーターと、前期電気ヒーター２４の通電を制御する制御手段１４Ｈを設ける構成とする。
【００８７】
上記構成において、電気ヒーター２４は送風吹出しノズル１０に配置するので熱の減衰が少なくなり効率よく電気ヒーター２４の温風を吹出すことができる。熱交換手段８の検知温度が低いときには、電気ヒーター２４に通電し温水で生成された温風の温度不足を補い、安定した温風を生成し冷風感を生じることなく手乾燥初期から温風を吹出すことができる。
【００８８】
また、夏期などに熱源機から冷水が供給されているときには、冷房運転を行い、手の乾燥を行う時には冷水の供給を停止し、電気ヒーター２４に通電することで温風を吹出すことができる手乾燥装置が得られる。
【００８９】
（実施の形態１０）
次に、本発明の実施の形態１０について図面を参照しながら説明する。なお、実施の形態１、２、３、４、５、６、７、８、９と同一のものは同一番号を付し、その詳細な説明を省略する。
【００９０】
図１０に示すように図１から９いずれかの構成に加えて、循環路を構成する水配管１６と、給水を供給する給水配管２５とを接続し、前記給水配管２５からの給水は開閉手段Ｂ２６として熱動弁または電磁弁を介して前記水配管１６に通水する構成とする。
【００９１】
上記構成において、熱源機への給水を行う場合、開閉手段Ｂ２６を開弁する。給水する水は熱交換手段８に供給され、熱交換手段８、送風手段７、制御手段１４を冷却し、奪われた熱は給水する水を加温し熱源機に供給する。手乾燥装置１内部の発熱を抑えると共に熱源機への給水を加温する手乾燥装置が得られる。
【産業上の利用可能性】
【００９２】
温風により、ヘアードライヤー、ボディードライヤー等にも適用できる。
【図面の簡単な説明】
【００９３】
【図１】本発明の実施の形態１の手乾燥装置の構成を示す側面概略図
【図２】同手乾燥装置の実施の形態２の手乾燥装置の構成を示す正面概略図
【図３】同手乾燥装置の実施の形態３の手乾燥装置の構成を示す正面概略図
【図４】同手乾燥装置の実施の形態４の手乾燥装置の構成を示す正面概略図
【図５】同手乾燥装置の実施の形態５の手乾燥装置の構成を示す正面概略図
【図６】同手乾燥装置の実施の形態６の手乾燥装置の構成を示す正面概略図
【図７】同手乾燥装置の実施の形態７の手乾燥装置の構成を示す側面概略図
【図８】同手乾燥装置の実施の形態８の手乾燥装置の構成を示す正面概略図
【図９】同手乾燥装置の実施の形態９の手乾燥装置の構成を示す側面概略図
【図１０】同手乾燥装置の実施の形態１０の手乾燥装置の構成を示す正面概略図
【図１１】従来の手などの乾燥装置の構成を示す概略図
【符号の説明】
【００９４】
１    手乾燥装置
２    乾燥室
３    排水口
４    ドレンタンク
５    排水菅
６    吸込口
７    送風手段
８    熱交換手段
９    収納体
１０  送風吹出しノズル
１１  風路
１２  手乾燥検知センサ
１３  スイッチ手段
１４  制御手段
１５  開閉手段Ａ
１６  水配管
１７  手洗い検知センサ
１８  水栓金具
１９  時計手段
２０  流量調整弁
２１  熱交換温度検出手段
２２  風向可変手段
２３  時計設定タイマー
２４  電気ヒーター
２５  給水配管
２６  開閉手段Ｂ
１０１  温風吹出口
１０２  ファン
１０３  通風管路
１０４  温水菅
１０５  ヒーター
１０６  検知センサ
【図１】
2006263151.tif 000003
【図２】
2006263151.tif 000004
【図３】
2006263151.tif 000005
【図４】
2006263151.tif 000006
【図５】
2006263151.tif 000007
【図６】
2006263151.tif 000008
【図７】
2006263151.tif 000009
【図８】
2006263151.tif 000010
【図９】
2006263151.tif 000011
【図１０】
2006263151.tif 000012
【図１１】
2006263151.tif 000013